(57)【要約】【課題】カッターの位置を容易かつ精度良く調整することができ、かつ装置の構造を単純化することができるスリッターのカッター保持機構を提供する。【解決手段】スリッターのカッター保持機構１０は、第１嵌め込み部１２を有するホルダー固定軸１１と、第１嵌め込み部１２に係合する第２嵌め込み部２５を有しカッター２１を保持するカッターホルダー２０とを備えている。ホルダー固定軸１１の第１嵌め込み部１２は所定間隔に配置された多数の溝１２ａからなる。カッターホルダー２０の第２嵌め込み部２５は、第１嵌め込み部１２の溝１２ａに係合する突起２５ａを有する。カッターホルダー２０は第１嵌め込み部１２と第２嵌め込み部２５とを介して、取り外し自在にホルダー固定軸１１の各位置に取り付けられて固定される。【選択図】  図１
2004345026.tif 000002
【特許請求の範囲】
【請求項１】
所定間隔に配置された多数の溝または穴からなる第１嵌め込み部を有するホルダー固定軸と、
ホルダー固定軸の第１嵌め込み部に係合する第２嵌め込み部を有し、カッターを保持するカッターホルダーとを備え、
カッターホルダーは第１嵌め込み部と第２嵌め込み部とを介して取り外し自在にホルダー固定軸の各位置に取り付けられて固定されることを特徴とするスリッターのカッター保持機構。
【請求項２】
ホルダー固定軸の第１嵌め込み部とカッターホルダーの第２嵌め込み部とのうち少なくとも一方は磁石からなり、第２嵌め込み部は第１嵌め込み部に磁力によって固定されることを特徴とする請求項１記載のスリッターのカッター保持機構。
【請求項３】
ホルダー固定軸またはカッターホルダーは切替スイッチを有し、ホルダー固定軸の第１嵌め込み部またはカッターホルダーの第２嵌め込み部の磁力を入り切りすることができることを特徴とする請求項２記載のスリッターのカッター保持機構。
【発明の詳細な説明】
【０００１】
【発明の属する技術分野】
本発明は、カッターの位置を容易かつ精度良く調整することができ、かつ装置の構造を単純化することができるスリッターのカッター保持機構に関する。
【０００２】
【従来の技術】
一般にスリッターはホルダー固定軸と、このホルダー固定軸に取り付けられるとともにカッターを保持するカッターホルダーとを有し、紙や布などのウェブを固定されたカッターに接触させることにより、ウェブをその流れ方向に沿って裁断するようになっている。ウェブを所望の裁断幅に裁断する場合、ウェブの流れ方向と直行して配置されたホルダー固定軸上でカッターホルダーを移動させ、所望位置においてカッターホルダーを固定して位置決めしている。この際、使用しないカッターはすべてウェブに接触しない範囲に移動させている。
【０００３】
ところでカッターホルダーの位置決めにあたっては、作業者がカッターホルダーをホルダー固定軸上で移動させ、このカッターホルダーをホルダー固定軸にねじにより締め付けて固定している。しかしながら、このようにしてカッターホルダーを位置決めする場合、時間がかかるうえに作業者の熟練性を必要とし、さらにまたカッターホルダーを精度良く位置決めすることは難しい。
【０００４】
そのため、センサー等を用いてカッターホルダーにより保持されるカッターの位置を精度良く自動的に調整することができる装置も発明されている（例えば特許文献１または特許文献２参照）。しかしながら、このような装置は複雑であるためコストが高く、メンテナンスにも労力を要するという問題がある。また、すべての製品に対してこのような装置を準備した場合、時としてオーバースペックになることがある。
【０００５】
【特許文献１】
特許第２８３２２５３号公報
【特許文献２】
特公平０７−７７７１７号公報
【０００６】
【発明が解決しようとする課題】
上述したように、カッターの位置を容易かつ精度良く調整することができ、かつ装置の構造を単純化したスリッターのカッター保持機構は未だ開発されてないのが実情である。
【０００７】
本発明はこのような点を考慮してなされたものであり、カッターの位置を容易かつ精度良く調整することができるスリッターのカッター保持機構を提供することを目的とする。
【０００８】
【課題を解決するための手段】
本発明は、所定間隔に配置された多数の溝または穴からなる第１嵌め込み部を有するホルダー固定軸と、ホルダー固定軸の第１嵌め込み部に係合する第２嵌め込み部を有し、カッターを保持するカッターホルダーとを備え、カッターホルダーは第１嵌め込み部と第２嵌め込み部とを介して取り外し自在にホルダー固定軸の各位置に取り付けられて固定されることを特徴とするスリッターのカッター保持機構である。
【０００９】
本発明は、ホルダー固定軸の第１嵌め込み部とカッターホルダーの第２嵌め込み部とのうち少なくとも一方は磁石からなり、第２嵌め込み部は第１嵌め込み部に磁力によって固定されることを特徴とするスリッターのカッター保持機構である。
【００１０】
本発明は、ホルダー固定軸またはカッターホルダーは切替スイッチを有し、ホルダー固定軸の第１嵌め込み部またはカッターホルダーの第２嵌め込み部の磁力を入り切りすることができることを特徴とするスリッターのカッター保持機構である。
【００１１】
【発明の実施の形態】
以下、図面を参照して本発明の実施の形態について説明する。図１乃至図４は本発明によるスリッターのカッター保持機構の一実施の形態を示す図である。
【００１２】
このうち図１はスリッターのカッター保持機構を示す斜視図であり、図２はスリッターのカッター保持機構のうちホルダー固定軸を示す斜視図であり、図３はスリッターのカッター保持機構のうちカッターホルダーを示す斜視図であり、図４はスリッターのカッター保持機構のうちホルダー固定軸の第１嵌め込み部およびカッターホルダーの第２嵌め込み部を示す部分上面図である。
【００１３】
図１乃至図４に示すように、スリッターのカッター保持機構１０は、搬送されてきた紙や布などのウェブをウェブ流れ方向に裁断するスリッターに組み込まれ、後述のようにカッター２１を保持するようになっている。
【００１４】
このようなスリッターのカッター保持機構１０は、第１嵌め込み部１２を有するホルダー固定軸１１と、ホルダー固定軸１１の第１嵌め込み部１２に係合する第２嵌め込み部２５を有し、カッター２１を保持する一対のカッターホルダー２０とを備えている。
【００１５】
このうちホルダー固定軸１１は細長い四角柱状をなし、長手方向に延びる一方の側面には、上述した第１嵌め込み部１２が設けられている。本実施の形態の場合、第１嵌め込み部１２は、幅０．５ｍｍ、深さ０．５ｍｍの矩形の多数の溝１２ａからなり、この溝１２ａは所定間隔をおいて、例えば１ｍｍピッチで設けられている。なお、第１嵌め込み部１２を有するホルダー固定軸１１の材料は炭素鋼からなっている（図４（ａ）参照）。
【００１６】
また、ホルダー固定軸１１上面には第１嵌め込み部１２側縁部近傍に、ホルダー固定軸１１の長手方向と平行に目盛り板１３が取り付けられている。
【００１７】
一方、カッターホルダー２０は、図３に示すようにホルダー本体２３とホルダー本体２３に取り付けられた支持部材２２とを有し、ウェブを裁断するカッター２１はカッターホルダー２０により保持されている。
【００１８】
また、ホルダー本体２３は略立方体をなし、後述する永久磁石の入り切りを行うため上面に設けられた切替スイッチ２４と、ホルダー固定軸１１側を向く側面に設けられた第２嵌め込み部２５とを有している。上述したように、第２嵌め込み部２５はホルダー固定軸１１の第１嵌め込み部１２とかみ合い、これら第１嵌め込み部１２と第２嵌め込み部２５とを介してホルダー固定軸１１にカッターホルダー２０を取り付けることができる。したがって、カッターホルダー２０の第２嵌め込み部２５は、ホルダー固定軸１１の第１嵌め込み部１２の形状に対応する複数の矩形の突起２５ａを有している。
【００１９】
また、カッターホルダー２０のホルダー本体２３内には永久磁石が内蔵されている。ホルダー本体２３の上面に設けられた切替スイッチ２４を図３において「着」側に回すと、第２嵌め込み部２５側の側面から永久磁石の磁力が生じるようになっている。一方、ホルダー本体２３の切替スイッチ２４を図３において「脱」側に回すと、永久磁石の磁力は遮蔽され、カッターホルダー２０の第２嵌め込み部２５から磁力が生じることはない。
【００２０】
次にこのような構成からなる本実施の形態の作用について説明する。
【００２１】
スリッターのカッター保持機構１０を利用してウェブを裁断する場合、ウェブの裁断幅は、ホルダー固定軸１１上へのカッターホルダー２０の取り付け位置によって決定される。したがって、まず、ホルダー固定軸１１の第１嵌め込み部１２に対する、各カッターホルダー２０の第２嵌め込み部２５の嵌め込み位置を決定する。上述したように、ホルダー固定軸１１の第１嵌め込み部１２の溝１２ａは１ｍｍピッチで設けられているので、１ｍｍ単位で各カッターホルダー２０の第２嵌め込み部２５の嵌め込み位置を決定することができ、その結果１ｍｍ単位でウェブの裁断幅を設定することができる。また、ホルダー固定軸１１の第１嵌め込み部１２に対して各カッターホルダー２０の第２嵌め込み部２５を嵌め込む際、ホルダー固定軸１１上面に設けられた目盛り板１３を利用することによって、各カッターホルダー２０の第２嵌め込み部２５の嵌め込み位置を容易に決定することができる。
【００２２】
次にホルダー固定軸１１上の第１嵌め込み部１２の所定位置に、各カッターホルダー２０の第２嵌め込み部２５を嵌め込む。この場合、予め各カッターホルダー２０のホルダー本体２３上面に設けられている切替スイッチ２４を「脱」側に回し、カッターホルダー２０の第２嵌め込み部２５から磁力を遮蔽しておく。各カッターホルダー２０をホルダー固定軸１１に取り付ける場合、第２嵌め込み部２５の突起２５ａを第１嵌め込み部１２の溝１２ａに嵌め込む。このため、各カッターホルダー２０の取り付けにあたっては、微妙な調整をする必要がなく容易に取り付けることができる。
【００２３】
各カッターホルダー２０をホルダー固定軸１１に取り付けた後、各カッターホルダー２０を固定するため切替スイッチ２４を「着」側に回し、各カッターホルダー２０の第２嵌め込み部２５から磁力を生じさせる。この場合、ホルダー固定軸１１は、第１嵌め込み部１２を含めて磁性体である炭素鋼から構成されているので、カッターホルダー２０とホルダー固定軸１１とが磁力によって引き付け合って、結果として各カッターホルダー２０がホルダー固定軸１１上の所定の位置に固定される。
【００２４】
最後に、所望の裁断幅が得られるよう、ホルダー固定軸１１上に固定された各カッターホルダー２０の位置を確認する。この際、ホルダー固定軸１１上面に設けられた目盛り板１３を利用することによって、確実かつ容易に確認することができる。
【００２５】
このようにセットした後、ホルダー固定軸１１と直行する方向にウェブを搬送することにより、所定の位置に配置されたカッターホルダー２０に保持されているカッター２１によって、ウェブを所望の裁断幅に裁断することができる。
【００２６】
ウェブの裁断幅を変える場合には、まずホルダー固定軸１１上に固定されている各カッターホルダー２０を取り外す。各カッターホルダー２０を取り外すには、ホルダー本体２３上面に設けられている切替スイッチ２４を「脱」側に回して、カッターホルダー２０の第２嵌め込み部２５から生じる磁力を遮蔽する。その後、各カッタホルダーの第２嵌め込み部２５をホルダー固定軸１１の第１嵌め込み部１２から引き抜き、各カッターホルダー２０をホルダー固定軸１１から取り外す。そして、所望の裁断幅が得られるよう、上述した手順で各カッターホルダー２０をホルダー固定軸１１の所定の位置へ取り付け固定する。
【００２７】
以上のように本実施の形態によれば、スリッターにおけるカッター２１の位置を容易かつ精度良く調整することができ、かつ装置の構造を単純化することができる。このため、カッター２１の位置を調整する際、作業者が特別の能力を持っていなくてもカッターの位置調整を短時間で行うことができ、かつ裁断寸法の誤りを生じにくくすることができる。さらに、これによりスリッターの装置費用およびメンテナンス費用を低減することができる。
【００２８】
なお、上述した本実施の形態において、ホルダー固定軸１１の第１嵌め込み部１２は所定寸法の矩形の溝１２ａを有し、一方、カッターホルダー２０の第２嵌め込み部２５は矩形の突起２５ａを有する例を示したが（図４（ａ））、ホルダー固定軸１１の第１嵌め込み部１２とカッターホルダー２０の第２嵌め込み部２５は両者が嵌め込み固定される限り、その寸法、形、配置位置等は特に限定されない。例えば、図４（ｂ）に示すように、第１嵌め込み部１２の溝１２ａと第２嵌め込み部２５の突起２５ａをアリミゾ状に形成しても良い。同様に、ホルダー固定軸１１の形状を細長い円柱状や多角形状にしても良い。さらに、ホルダー固定軸１１の材質を炭素鋼とした例を示したが、これに限らず他の磁性体や磁石から形成しても良い。
【００２９】
また、カッターホルダー２０内に永久磁石を内蔵した例を示したが、これに限らず電磁石を内蔵しても良い。さらに、ホルダー固定軸１１を磁石から構成するとともにカッターホルダー２０のホルダー本体２３を磁性体から構成しても良い。
【００３０】
さらにまた、ホルダー固定軸１１の第１嵌め込み部１２が溝１２ａを有し、カッターホルダー２０の第２嵌め込み部２５が突起２５ａを有する例を示したが、これに限らずホルダー固定軸１１の第１嵌め込み部１２が所定間隔で配置された多数の穴を有し、カッターホルダー２０の第２嵌め込み部２５が穴に係合する突起を有しても良い。
【００３１】
【発明の効果】
以上のように本発明によれば、カッターの位置を容易かつ精度良く調整することができ、かつ装置の構造を単純化することができる。このため、カッターの位置を調整する際、作業者が特別の能力を持っていなくてもカッターの位置調整を短時間で行うことができ、その上、裁断寸法の誤りを生じにくくすることができる。
【図面の簡単な説明】
【図１】本発明によるスリッターのカッター保持機構の一実施の形態を示す斜視図。
【図２】本発明によるスリッターのカッター保持機構のうちホルダー固定軸を示す斜視図。
【図３】本発明によるスリッターのカッター保持機構のうちカッターホルダーを示す斜視図。
【図４】本発明によるスリッターのカッター保持機構のうちホルダー固定軸の第１嵌め込み部およびカッターホルダーの第２嵌め込み部を示す部分上面図。
【符号の説明】
１０  スリッターのカッター保持機構
１１  ホルダー固定軸
１２  第１嵌め込み部
１２ａ  溝
１３  目盛り板
２０  カッターホルダー
２１  カッター
２２  支持部材
２３  ホルダー本体
２４  切替スイッチ
２５  第２嵌め込み部
２５ａ  突起
【図１】
2004345026.tif 000003
【図２】
2004345026.tif 000004
【図３】
2004345026.tif 000005
【図４】
2004345026.tif 000006